【事件の表示】
　特願２０１４−１９８３９４「印刷方法および液体インクジェットインク」拒絶査定不服審判事件〔平成２７年　３月２６日出願公開，特開２０１５−　５７３２４〕について，次のとおり審決する。
【結　論】
　本件審判の請求は，成り立たない。
【理　由】
１　手続の経緯
　本件拒絶査定不服審判事件に係る出願（以下，「本願」という。）は，２０１０年９月１４日（パリ条約による優先権主張外国庁受理２００９年９月１５日，欧州特許庁）を国際出願日とする出願（特願２０１２−５２９２３７号）の一部を平成２６年９月２９日に新たな特許出願としたものであって，平成２７年１月５日に手続補正書が提出され，同年７月３１日付けで拒絶理由が通知され，平成２８年２月３日に意見書及び手続補正書が提出されたが，同年５月３０日付けで拒絶査定がなされたものである。
　本件拒絶査定不服審判は，これを不服として，同年１０月５日に請求されたものであって，本件審判の請求と同時に手続補正書が提出され，当審において，同年１２月１３日付けで拒絶理由が通知され，平成２９年３月１７日に意見書が提出された。
２　本願の請求項１に係る発明
　本願の請求項１ないし７に係る発明は，平成２８年１０月５日提出の手続補正書によって補正された特許請求の範囲の請求項１ないし７に記載された事項によって特定されるものであるところ，請求項１に記載された「前記インクは，」なる記載が「前記インク組成物は，」の誤記であることが明らかであるから，本願の請求項１に係る発明は，当該誤記を訂正した次のとおりのものと認める。
「画像を形成するために，少なくとも２色のインク組成物を非吸収性の基材上に堆積させる工程，および，
　前記基材に対して前記画像を固定する工程
を含み，
　前記インク組成物は，静電印刷ヘッドを用いて堆積され，
　前記静電印刷ヘッドは，分散媒流体中に分散させた帯電可能なマーキング粒子を，印加電界を用いて，最初に濃縮し，その後に噴出させ，
　前記インク組成物は，４５重量％以上の分散媒液体と，６〜４０重量％の不溶性の帯電可能なマーキング粒子と，０．４〜１０重量％の可溶性分散剤と，を含み，バインダーを含んでおらず，
　前記画像の固定を行う前に，すべてのインク組成物を前記基材上に堆積させる，
基材上に画像を形成する方法。」（以下，請求項１に係る発明を「本願発明」という。）
３　平成２８年１２月１３日付けで通知された拒絶理由の概要
（１）　平成２８年１２月１３日付けで通知された拒絶理由の一つは，概略，次のとおりである。
　本願発明は，引用文献１に記載された発明，引用文献２ないし４から把握される周知の事項及び引用文献５及び６から把握される周知の事項に基づいて，当業者が容易に発明をすることができたものであるから，本願は特許法２９条２項の規定により特許を受けることができない。（以下，「当審拒絶理由」という。）
（２）　当審拒絶理由で引用された引用例は，次のとおりである。
引用文献１：特開２００５−１０３９５８号公報
引用文献２：特開２００４−１８１６４４号公報
引用文献３：特開２００４−８２６８９号公報
引用文献４：特開２００６−３１５３６３号公報
引用文献５：特開２００１−３９００６号公報
引用文献６：特開２００３−２７６３２３号公報
４　引用例
（１）引用文献１
　ア　引用文献１の記載
　引用文献１は，本願の優先権主張の日（以下，「本願優先日」という。）より前に頒布された刊行物であって，当該引用文献１には次の記載がある。（下線は，後述する引用発明の認定に特に関係する箇所を示す。）
（ア）　「【技術分野】
【０００１】
　本発明は，インクジェット記録方法に関するものであり，詳しくは，画像に光沢性の付与及び増強が可能で，耐ブロッキング性及び耐摩擦性を有するインクジェット記録方法に関するものである。
【背景技術】
・・・（中略）・・・
【０００３】
　インクジェット記録方式には，・・・（中略）・・・静電界を利用して荷電粒子を含有するインク滴を飛翔させる方式（特許文献１，２参照）がある。・・・（中略）・・・一方，静電界を利用する方式は，インク滴の飛翔方向を静電界により制御するため，望ましい位置へインク滴を正確に着弾させることが可能であり，高画質の画像形成物（印刷物）を作成でき優れている。
【０００４】
　
静電界を利用するインクジェット記録に用いられるインク組成物
色材を含有するインク組成物は，色材を変更することにより，イエロー，マゼンタ，シアン，墨の４色のインクを作成することができ
・・・（中略）・・・
【発明が解決しようとする課題】
【０００６】
　本発明の目的は，画像の定着及び保護を高速かつ低温で実現し，目的とする画像を高画質のまま維持可能であり，印刷物のカール，ヨレ，皺，歪み等が少なく，また被記録媒体の材質，構成及び性質を選ばず，本来のしなやかさを保持しつつ，更に画像に光沢性の付与及び増強が可能な耐ブロッキング性及び耐摩擦性を有するインクジェット記録方法を提供することである。
【課題を解決するための手段】
【０００７】
　本発明は，以下のとおりである。
　（１）　
分散媒と，少なくとも色材およびその被覆ポリマーを含む荷電粒子とを含有するインク組成物を，静電界を利用したインクジェット記録方式でインク滴として飛翔させ，被記録媒体に画像を形成させ，続いて前記画像の表面に動的弾性率が５０℃で５×１０
５
Ｐａ以上のオーバーコートポリマーを含むオーバーコート層を設けることを特徴とするインクジェット記録方法
・・・（中略）・・・
【発明の効果】
【０００９】
　本発明によれば，画像の定着及び保護を高速かつ低温で実現し，目的とする画像を高画質のまま維持可能であり，印刷物のカール，ヨレ，皺，歪み等が少なく，また被記録媒体の材質，構成及び性質を選ばず，本来のしなやかさを保持しつつ，更に画像に光沢性の付与及び増強が可能な耐ブロッキング性及び耐摩擦性を有するインクジェット記録方法が提供される。」
（イ）　「【発明を実施するための最良の形態】
【００１０】
　本発明における
インク組成物は，分散媒と，少なくとも色材およびその被覆ポリマーを含む荷電粒子とを含有する
［分散媒］
　
分散媒は，
電気抵抗率
１０
１０
Ωｃｍ以上を有する誘電性の液体である
【００１１】
・・・（中略）・・・
インク組成物全体に対する分散媒の含有量は，２０〜９９質量％
【００１２】
［色材］
　本発明に用いる
色材としては
顔料を用いる
イエロー，マゼンタ，シアン，墨（ブラック）の４色のインク
・・・（中略）・・・
【００１７】
・・・（中略）・・・
インク組成物全体に対する顔料の含有量は，０．１〜５０質量％
【００１８】
［被覆ポリマー］
　本発明において，
顔料等の色材は
被覆ポリマーにより被覆された
色材が持つ荷電を遮蔽し望ましい荷電特性を付与する
ヒートローラ等の加熱手段により定着するが，この際被覆ポリマーが熱により溶融し，効率よく定着できる
・・・（中略）・・・
【００２９】
　
インク組成物全体に対する被覆ポリマーの含有量は，０．１〜４０質量％
【００３０】
　［分散剤］
　本発明において好ましくは，色材と被覆ポリマーの混合物を分散媒中に分散（粒子化）するが，粒子直径を制御し，かつ粒子の沈降を抑制するために
分散剤を使用する
　好適な分散剤としては，ソルビタンモノオレエート等のソルビタン脂肪酸エステルや，ポリオキシエチレンジステアレート等のポリエチレングリコール脂肪酸エステルに代表される界面活性剤が挙げられる。また，例えば，スチレンとマレイン酸のコポリマー，及びそのアミン変性物，スチレンと（メタ）アクリル化合物のコポリマー，（メタ）アクリル系ポリマー，ポリエチレンと（メタ）アクリル化合物のコポリマー，ロジン，ＢＹＫ−１６０，１６２，１６４，１８２（ビックケミー社製のポリウレタン系ポリマー），ＥＦＫＡ−４０１，４０２（ＥＦＫＡ社製のアクリル系ポリマー），ソルスパース１７０００，２４０００（ゼネカ社製のポリエステル系ポリマー）等が挙げられる。本発明においては，インク組成物の長期間保存安定性の観点から，重量平均分子量が１，０００〜１０００，０００の範囲内であり，かつ多分散度（重量平均分子量／数平均分子量）が，１．０〜７．０の範囲内であるポリマーが好ましい。さらに，グラフトポリマーまたはブロックポリマーを用いることが最も好ましい。
・・・（中略）・・・
【００４０】
　
インク組成物全体に対する分散剤の含有量は，０．０１〜３０質量％
【００４１】
　［荷電調整剤］
　本発明においては，色材と被覆ポリマーの混合物を，
分散剤を用いて分散媒中に分散
粒子の荷電量を制御するため
荷電調整剤を併用する
インク組成物全体に対する分散剤の含有量は，０．０００１〜１０質量％
（ウ）　「【００４７】
［インクジェット記録装置］
　本発明では，以上記述したインク組成物を，インクジェット記録方式により，被記録媒体へ記録する。本発明においては，静電界を利用したインクジェット記録方式を用いることが好ましい。
静電界を利用するインクジェット記録方式は，制御電極と被記録媒体背面の背面電極間に電圧を印加することにより，インク組成物の荷電粒子を静電力によって吐出位置に濃縮し，吐出位置から記録媒体へ飛翔させる方式である
・・・（中略）・・・
【００５０】
　
本発明のインク組成物を適用するに適したインクジェット記録装置
　まずは，図３に示す
記録媒体に片面４色印刷を行う装置
　図３に示される
インクジェット記録装置１は，フルカラー画像形成を行うための４色分の吐出ヘッド２Ｃ，２Ｍ，２Ｙ及び２Ｋ
・・・（中略）・・・
【００５３】
・・・（中略）・・・本発明で好適に使用される
インクジェットヘッドは，インク流路内での荷電粒子を電気泳動させて開口付近のインク濃度を増加させ，吐出を行う
記録媒体又は記録媒体背面に配置された対向電極に起因する静電吸引力によりインク滴の吐出を行う
・・・（中略）・・・
【００６３】
［オーバーコート層］
　本発明では，前述のように，
インク組成物を静電界を利用したインクジェット記録方式でインク滴として飛翔させ，被記録媒体に画像を形成させ，続いて前記画像の表面にオーバーコートポリマーを含むオーバーコート層を設ける
【００６４】
［動的弾性率］
　ポリマー物性としての動的弾性率は，ポリマーの変形しやすさや流動性を示し，その挙動はレオロジーと呼ばれる学問体系に属している。
　本発明者らの検討によれば，動的弾性率は，インク画像の定着性の指標となり，耐ブロッキング性及び耐摩擦性に深く関係することが見出された。つまり動的弾性率は，オーバーコート層の熱的流動性，すなわちフロー性，上に重ねられた記録紙への画像の裏移りのしにくさ，すなわち耐ブロッキング性，そしてインク画像の熱定着時におけるヒートローラへ画像の一部が転移するオフセット等と深く関係する。
・・・（中略）・・・
【００６６】
［オーバーコートポリマー］
　
オーバーコートポリマーの動的弾性率は，
５０℃で５×１０
５
Ｐａ以上であることが必要
　また，オーバーコートポリマーのガラス転移点もしくは融点は，４０〜１００℃の範囲にあるのが好ましい。
　オーバーコートポリマーとしては，例えばアクリル系，ポリエステル系，ポリエチレン系，ポリスチレン系ポリマーまたはこれらの混合物が挙げられる。これとは別に，前述の被覆ポリマーをオーバーコートポリマーとして用いることも好ましい。
【００６７】
　
オーバーコート層は，
インクで描画された画像を有する印刷物表面に
その全面に吐出することにより形成する
その後
加熱手段により被膜化し画像の更なる定着と光沢性，耐ブロッキング性及び耐摩擦性を付与する
なお，インク画像は熱定着
されていなくともよい。
・・・（中略）・・・
【００６９】
［被記録媒体］
　
本発明においては
被記録媒体
プラスチックフィルム，金属，及び，プラスチックまたは金属がラミネートまたは蒸着された紙，金属がラミネートまたは蒸着されたプラスチックフィルム
（エ）　「【実施例】
【００７１】
　以下，実施例及び比較例により，本発明を詳細に説明するが，本発明はこれらに限定されるものではない。なお，特記ない限り組成比率，％は質量比，質量％を表す。
【００７２】
オーバーコートポリマーの作成
[オーバーコートポリマー１]
　メチルメタクリレート（和光純薬（株）製）４０ｇ，メチルアクリレート（和光純薬（株）製）６０ｇ，分散剤［ＢＺ−２］１０ｇ，アイソパーＧ（エクソン社（株）製）２００ｇを三口フラスコに投入し，オイルバス中にて窒素気流下，７０℃まで加温した。反応液温が７０℃に到達した後，３０分間，窒素気流下にて７０℃で攪拌した。その後，ラジカル重合開始剤Ｖ６５（和光純薬（株）製）を３ｇ加え，窒素気流下にて７０℃で３時間重合した。
　さらに，３時間後ラジカル重合開始剤Ｖ６５（和光純薬（株）製）を１．５ｇ加え，液温を８０℃まで上昇させ，窒素気流下にて２時間重合した。重合反応終了後，反応液を室温まで冷却し，テフロンメッシュにて濾過後，目的の粒子分散物を得た。分散物ポリマーの重量平均分子量Ｍｗは１５，０００，平均粒子径は０．８３μｍで，０．２μｍ以下の微小粒子量は０．１％であった。
・・・（中略）・・・
【００７６】
実施例１
＜使用した材料＞
　本実施例１においては，下記に示す材料を使用した。
【００７７】
　・シアン顔料（色材）　フタロシアニン顔料　Ｃ．Ｉ．Ｐｉｇｍｅｎｔ　Ｂｌｕｅ(１５：３)（東洋インキ製造（株）製，ＬＩＯＮＯＬ　ＢＬＵＥ　ＦＧ−７３５０）
　・被覆ポリマー　［ＡＰ−１］
　・分散剤　［ＢＺ−２］
　・荷電調整剤　［ＣＴ−１］
　・分散媒　アイソパーＧ（イソパラフィン系，エクソン社製）
　・オーバーコート剤　［オーバーコートポリマー１］
【００７８】
　被覆ポリマー［ＡＰ−１］，分散剤［ＢＺ−２］，荷電調整剤［ＣＴ−１］の構造を以下に示す。
【００７９】
【化５】
・・・（中略）・・・
【００８１】
＜インク組成物［ＥＣ−１］の作成＞
　シアン顔料１０ｇ，被覆ポリマー「ＡＰ−１」２０ｇを，入江商会（株）製卓上型ニーダーＰＢＶ−０．１に入れ，ヒーター温度を１００℃に設定し２時間加熱混合した。得られた混合物３０ｇをトリオサイエンス（株）製トリオブレンダーにて粗粉砕し，さらに協立理工（株）製ＳＫ−Ｍ１０型サンプルミルにて微粉砕した。得られた微粉砕物３０ｇを，分散剤［ＢＺ−２］７．５ｇ，アイソパーＧ７５ｇ，および直径約３．０ｍｍのガラスビーズと共に，東洋精機製作所（株）製ペイントシェーカーにて予備分散した。ガラスビーズを除去した後，直径約０．６ｍｍのジルコニアセラミックビーズと共に，シンマルエンタープライゼズ（株）製ＴｙｐｅＫＤＬダイノミルにて，内温を２５℃に保ちながら５時間，引き続き４５℃で５時間，２，０００ｒｐｍの回転数で分散（粒子化）した。得られた分散液からジルコニアセラミックビーズを除去し，アイソパーＧ３１６ｇと荷電調整剤［ＣＴ−１］０．６ｇを加え，インク組成物［ＥＣ−１］を得た。
【００８２】
＜インクジェット記録＞
　図３〜５に示すインクジェット記録装置に，実施例１のインク組成物［ＥＣ−１］をインクタンクに充填した。ここでは吐出ヘッドとして図４に示すタイプの１５０ｄｐｉ（チャンネル密度５０ｄｐｉの３列千鳥配置），８３３チャンネルヘッドを使用し，また定着手段として１ｋＷのヒータを内蔵したシリコンゴム性ヒートローラを使用した。・・・（中略）・・・エアーポンプ吸引により被記録媒体表面の埃除去を行った後，吐出ヘッドを画像形成位置まで被記録媒体に近づけ，記録すべき画像データを画像データ演算制御部に伝送し，搬送ベルトの回転により被記録媒体を搬送させながら吐出ヘッドを逐次移動しながらインク組成物を吐出して２４００ｄｐｉの描画解像力で画像を形成した。・・・（中略）・・・得られたグレースケール画像記録物（印刷物）は，筋ムラ，インクのにじみがなく極めて鮮明な画像であった。画像形成不良等は全く見られず，また外気温の変化，記録時間の増加によってもドット径変化等による画像劣化は全く見られず，良好な画像形成が可能であった。
【００８３】
＜オーバーコート層＞
　オーバーコートポリマー１を７質量％の濃度として，荷電調整剤［ＣＴ−１］を０．１質量％加えインク化した。該インクを前述と同様に所謂ベタ画像となるようにパルス幅を調節して画像上に吐出ドットを連続させた。
・・・（中略）・・・
【００８５】
＜定着評価＞
　画像とオーバーコート層を形成した後，ヒートローラを用いて加熱し，印刷用紙であるコート紙の温度を６０〜１００℃まで５℃刻みで変化させ定着をおこない，印刷画像のブロッキング性について定着性を十分満足する温度で，その画像上に印刷用紙と同じ紙を重ね，約５０ｇ／ｃｍ２の重量をかけ，５０℃で２４時間放置し，重ねた紙の裏面への画像部の転写程度を目視評価した。
【００８６】
実施例２
　オーバーコートポリマーをエルバックスＩＩ−５６１０（エチレン−酢ビ，三井・デュポンケミカル製）に変えた以外は，実施例１と同素材にて，実施例１と同様な方法にてオーバーコートインクを作成し，インクジェット描画，オーバーコート層形成，画像評価を実施した。
【００８７】
実施例３
　オーバーコートポリマーを，ＡＴ−９６（ベンジルメタクリレート／メチルメタクリレート，モル比７５／２５，アルドリッチ社製）８質量部とポリマー３の２質量部との混合物に変えた以外は，実施例１と同素材にて，実施例１と同様な方法にてオーバーコートインクを作成し，インクジェット描画，オーバーコート層形成，画像評価を実施した。
【００８８】
比較例１
　実施例３において，オーバーコート層を形成しなかった以外は実施例３と同様にして，画像を形成した。
【００８９】
　上記各実施例および比較例で得られた結果を表１に示す。
【００９０】
【表１】
」
（オ）　「【図面の簡単な説明】
【００９６】
・・・（中略）・・・
【図３】本発明に用いるインクジェット印刷装置の一例を模式的に示す全体構成図である。
【図４】本発明のインクジェット記録装置のインクジェットヘッドの構成を示す斜視図である（判りやすくするために，各吐出部でのガード電極のエッジは描いていない）。
【図５】図４に示す，インクジェットヘッドの吐出部の使用数が多いときの荷電粒子の分布状態を示す側面断面図である（図４の矢視Ｘ−Ｘに相当）。
・・・（中略）・・・
【図３】
【図４】
【図５】
」
　イ　引用文献１に記載された発明
　前記ア（ア）ないし（オ）を含む引用文献１の全記載から，引用文献１に次の発明が記載されていると認められる。（なお，引用文献１中では，画像を形成する対象物に対して，「被記録媒体」という表現と「記録媒体」という表現とが混在して用いられているが，「被記録媒体」に統一して引用発明の構成を認定した。）
「イエロー，マゼンタ，シアン及びブラックの４色のインク組成物を，インクジェット記録装置によりインク滴として飛翔させて，被記録媒体にフルカラー画像を印刷し，続いて，前記フルカラー画像を熱定着することなく，当該フルカラー画像が印刷された前記被記録媒体の表面の全面に，動的弾性率が５０℃で５×１０５Ｐａ以上のオーバーコートポリマーを含むオーバーコート層を形成し，その後，加熱手段を用いて前記オーバーコート層を被膜化することによって，フルカラー画像の定着と光沢性，耐ブロッキング性及び耐摩擦性を付与するインクジェット記録方法であって，
　前記４色のインク組成物は，それぞれが，電気抵抗率が１０１０Ωｃｍ以上の誘電性の液体である分散媒と，被覆ポリマーにより被覆された顔料である荷電粒子と，前記荷電粒子を前記分散媒中に分散させるための分散剤と，前記荷電粒子の荷電量を制御するための荷電調整剤とからなり，前記分散媒，前記顔料，前記被覆ポリマー，前記分散剤及び前記荷電調整剤のインク組成物全体に対する含有量がそれぞれ２０〜９９質量％，０．１〜５０質量％，０．１〜４０質量％，０．０１〜３０質量％及び０．０００１〜１０質量％であって，前記被覆ポリマーは，前記顔料が持つ荷電を遮蔽して望ましい荷電特性を付与するとともに，加熱手段により定着する際に熱により溶融して効率よく定着するためのものであり，
　前記被記録媒体として，プラスチックフィルム，金属，プラスチックもしくは金属がラミネートもしくは蒸着された紙又は金属がラミネートもしくは蒸着されたプラスチックフィルムを用い，
　前記インクジェット記録装置として，静電界を利用するインクジェット記録方式のもの，すなわち，インクジェットヘッドに設けられた制御電極と被記録媒体背面の背面電極間に電圧を印加することにより，前記インクジェットヘッドのインク流路内で前記荷電粒子を電気泳動させて吐出位置に濃縮し，前記対向電極に起因する静電吸引力により吐出位置から被記録媒体へ飛翔させる方式のものを用いた，
　インクジェット記録方法。」（以下，「引用発明」という。）
（２）周知の技術事項
　ア　顔料の被覆に関する周知の技術事項
（ア）引用文献２の記載
　引用文献２は，本願優先日より前に頒布された刊行物であって，当該引用文献２には次の記載がある。（下線は，後述する第１周知事項の認定に特に関係する箇所を示す。）
　ａ　「【００１９】
本発明で好適に使用される
インクジェット記録ヘッドは，インク流路内での荷電粒子を電気泳動させて開口付近のインク濃度を増加させ，吐出を行うインクジェット方法
静電吸引力によりインク滴の吐出を行うもの
　ｂ　「【００２４】
インク流路７２に入れる
インクは，粒径０．１〜５．０μｍ程度の着色荷電粒子をキャリア液中に分散したもの
キャリア液は，高い電気抵抗率（１０
１０
Ωｃｍ以上）を有する誘電性の液体
・・・（中略）・・・
【００２７】
上記の非水溶媒中に，
分散される着色粒子は，色材自身を分散粒子として誘電性液体中に分散させてもよい
色材としては
顔料
使用可能である
・・・（中略）・・・
【００２９】
またインク組成物として，粘度は０．５〜５ｍＰａ・ｓｅｃの範囲が好ましく，より好ましくは０．６〜３．０ｍＰａ・ｓｅｃ，更に好ましくは０．７〜２．０ｍＰａ・ｓｅｃの範囲である。
着色粒子は荷電を有し
種々の荷電制御剤が使用でき
（イ）引用文献３の記載
　引用文献３は，本願優先日より前に頒布された刊行物であって，当該引用文献３には次の記載がある。（下線は，後述する第１周知事項の認定に特に関係する箇所を示す。）
　ａ　「【００５１】
本発明で好適に使用される
インクジェットヘッドは，インク流路内での荷電粒子を電気泳動させて開口付近のインク濃度を増加させ，吐出を行うインクジェット方法
静電吸引力によりインク滴の吐出を行うもの
　ｂ　「【００７０】
インク流路７２に入れる
インクは，粒径０．１〜５．０μｍ程度の着色荷電粒子をキャリア液中に分散したもの
キャリア液は，高い電気抵抗率（１０
１０
Ωｃｍ以上）を有する誘電性の液体
・・・（中略）・・・
【００７３】
上記の非水溶媒中に，
分散される着色粒子は，色材自身を分散粒子として誘電性液体中に分散させてもよい
色材としては
顔料
使用可能である
・・・（中略）・・・
【００７５】
またインク組成物として，粘度は０．５〜５ｍＰａ・ｓｅｃの範囲が好ましく，より好ましくは０．６〜３．０ｍＰａ・ｓｅｃ，更に好ましくは０．７〜２．０ｍＰａ・ｓｅｃの範囲である。
着色粒子は荷電を有し
種々の荷電制御剤が使用でき
（ウ）引用文献４の記載
　引用文献４は，本願優先日より前に頒布された刊行物であって，当該引用文献４には次の記載がある。（下線は，後述する第１周知事項の認定に特に関係する箇所を示す。）
　ａ　「【００２０】
　以下，本発明の詳細について説明する。
【００２１】
　本発明のインクジェット記録方法においては，不揮発成分が１０質量％以上，５０質量％未満であるインクジェットインクを用いて，液滴量として０．１ｐＬ以上，０．５ｐＬ以下で印刷用塗工紙に印字することを特徴とする。
【００２２】
　はじめに，本発明に係るインクジェットインク（以下，単にインクともいう）について説明する。
・・・（中略）・・・
【００２４】
　（油性インク）
　本発明に係るインクは不揮発成分の比率が多いことを特徴とするが，そのような構成からなるインクの出射安定性を付与する観点から，油性インクであることが好ましい態様の１つである。
・・・（中略）・・・
【００３１】
　次に，本発明に係る油性インクで使用される着色剤について説明する。
【００３２】
　
油性インクに用いる着色剤としては，
有機顔料および無機顔料
を用いることができる
　ｂ　「【００８２】
　本発明のインクジェット記録方法においては，
本発明に係るインクを印刷用塗工紙上に吐出する方法として，静電吸引方式を用いる
【００８３】
　一般に，インクジェット記録方式としては，圧電素子の振動によりインク流路を変形させることによりインク液滴を吐出させるピエゾ方式，インク流路内に発熱体を設け，その発熱体を発熱させて気泡を発生させ，気泡によるインク流路内の圧力変化に応じてインク液滴を吐出させるサーマル方式，
インク流路内のインクを帯電させてインクの静電吸引力によりインク液滴を吐出させる静電吸引方式
　ｃ　「【０１００】
　〔
インクセット３
　下記の方法に従って，イエローインクＹ３，マゼンタインクＭ３，シアンインクＣ３，ブラックインクＫ３から構成されるインクセット３を調製した。
【０１０１】
　（イエローインクＹ３の調製）
　
下記の各添加剤を順次混合
イエローインクＹ３を調製
【０１０２】
　
有機溶媒：アイソパーＧ（エクソン化学社製）　　　　　　　　８２部
　
顔料：Ｃ．Ｉ．ピグメントイエロー１２８　　　　　　　　　　１０部
　
顔料分散剤：Ｓｏｌｓｐｅｒｓｅ２８０００（アビシア製）　　　８部
　（マゼンタインクＭ３，シアンインクＣ３，ブラックインクＫ３の調製）
　上記イエローインクＹ３の調製において，
顔料をＣ．Ｉ．ピグメントイエロー１２８に代えて，それぞれＣ．Ｉ．ピグメントレッド１２２，Ｃ．Ｉ．ピグメントブルー１５：３，Ｃ．Ｉ．ピグメントブラック７を用いた以外は同様にして，マゼンタインクＭ３，シアンインクＣ３，ブラックインクＫ３を調製
【０１０３】
　〔
インクセット４
　下記の方法に従って，イエローインクＹ４，マゼンタインクＭ４，シアンインクＣ４，ブラックインクＫ４から構成されるインクセット４を調製した。
【０１０４】
　（イエローインクＹ４の調製）
　
下記の各添加剤を順次混合
イエローインクＹ４を調製
【０１０５】
　
有機溶媒：アイソパーＧ（エクソン化学社製）　　　　　　　　７５部
　
顔料：Ｃ．Ｉ．ピグメントイエロー１２８　　　　　　　　　　１６部
　
顔料分散剤：Ｓｏｌｓｐｅｒｓｅ２８０００（アビシア製）　　　９部
　（マゼンタインクＭ４，シアンインクＣ４，ブラックインクＫ４の調製）
　上記イエローインクＹ４の調製において，
顔料をＣ．Ｉ．ピグメントイエロー１２８に代えて，それぞれＣ．Ｉ．ピグメントレッド１２２，Ｃ．Ｉ．ピグメントブルー１５：３，Ｃ．Ｉ．ピグメントブラック７を用いた以外は同様にして，マゼンタインクＭ４，シアンインクＣ４，ブラックインクＫ４を調製
・・・（中略）・・・
【０１１９】
　〔印字方法Ａ：静電吸引型インクジェット記録〕
　特開２００４−１３６６５１号公報に記載のものと同様の
静電吸引型インクジェット記録ヘッド
カラーの写真画像を記録した
（エ）　引用文献２ないし４から把握される周知の技術事項
　引用文献２ないし４の記載から，次の技術事項が，本願優先日より前に周知であったと認められる。
「絶縁性の溶媒中に着色荷電粒子を分散させたインクを用い，静電吸引力によりインク滴の吐出を行うインクジェット記録方式において，前記着色荷電粒子として，樹脂で被覆されていない顔料を用いること。」（以下，「第１周知事項」という。）
　イ　結合剤に関する周知の技術事項
（ア）引用文献５の記載
　引用文献５は，本願優先日より前に頒布された刊行物であって，当該引用文献５には次の記載がある。（下線は，後述する第２周知事項の認定に特に関係する箇所を示す。）
　ａ　「【０００１】
【発明の属する技術分野】本発明は，インクジェット記録方式の記録方法及びこれにより記録された記録物に関するものである。
【０００２】
【従来の技術】インクジェット記録は，微細なノズルからインクを小滴として吐出して，文字や図形を被記録体表面に記録する方法である。・・・（中略）・・・
【０００７】
【発明が解決しようとする課題】そこで本発明はこのような課題を解決するもので，その目的とするところは，加熱や紫外線などによる硬化・定着工程を要することなくトップコート層を形成して，耐光性・耐水性・定着性等の記録物の堅牢性と，光沢感に優れた良好な印字品質とをあたえる記録方法及びこれにより記録された記録物を提供することである。
【０００８】
【課題を解決するための手段】この目的を達成するために，本発明の記録方法は，
被記録媒体にインクジェット記録方式で記録を行い画像を形成した後，被記録体印字面の全面にインクジェット記録方式でトップコート液を噴射して一様な透明のトップコート層を形成する
　ｂ　「【００２１】また本発明は，
被記録媒体に記録するインクジェット記録用インクの着色材に顔料を用いる
顔料の分散安定性を向上させるために界面活性剤や樹脂などの分散剤をインクジェット記録液中に添加する
　ｃ　「【００３１】（実施例２）実施例２は顔料系のインクジェット記録用インクに本発明を適用したものである。
【００３２】（１）
顔料分散液
スチレンーアクリル酸共重合体樹脂（重量平均分子量＝２５０００；酸価＝２００）４部，トリエタノールアミン２．７部，イソプロピルアルコール０．４部，イオン交換水７２．９部を７０℃の加温下で完全溶解させた後，カーボンブラックＭＡ７（三菱化学株式会社製）２０部を加え混合攪拌し，アイガーミル（アイガージャパン社製）で顔料の平均粒子径が１００ｎｍになるまで分散を行った
【００３３】（２）画像記録用インクジェット記録液の作成
次に，前記の顔料分散液を用い，以下に示す組成で画像記録用インクジェット記録液を作成した。
【００３４】
前記顔料分散液
グリセリン
ジエチレングリコール
トリエチレングリコールモノブチルエーテル
サーフィノール４６５
水酸化カリウム
イオン交換水
上記の成分を容器の中で十分混合攪拌し，ポアサイズ０．５μｍのメンブレンフィルターでろ過し，画像記録用インクジェット記録液を作製した。
【００３５】
（３）トップコート液の作成
樹脂エマルジョン（酢酸ビニル系エマルジョン，ＭＦＴ＝５℃） １０％（固形分として）
トリエチレングリコール　　　　　　　　　　　　　　　　　　　８％
グリセリン　　　　　　　　　　　　　　　　　　　　　　　　　２％
トリエチレングリコールモノブチルエーテル　　　　　　　　　　５％
サーフィノール４６５　　　　　　　　　　　　　　　　　　　　１％
トリエタノールアミン　　　　　　　　　　　　　　　　　　　　０．５％
イオン交換水　　　　　　　　　　　　　　　　　　　　　　　７３．５％
上記の成分を容器の中で十分混合攪拌し，ポアサイズ０．５μｍのメンブレンフィルターでろ過し，トップコート液を作製した。
【００３６】（４）記録物の作製
被記録媒体：ＥＰＳＯＮ社製 フォトプリント紙２
プリンター：ＥＰＳＯＮ社製ＭＪ−９３０
ＭＪ−９３０に画像形成用インクジェット記録液とトップコート液とをそれぞれ装着し，画像を形成する走査と，トップコート液を噴射する走査との２回の記録ヘッド走査により記録物を得た。」
（イ）引用文献６の記載
　引用文献６は，本願優先日より前に頒布された刊行物であって，当該引用文献６には次の記載がある。（下線は，後述する第２周知事項の認定に特に関係する箇所を示す。）
　ａ　「【０００１】
【発明の属する技術分野】本発明は，カラー顔料インクを用いたインクジェット記録方法により画像が形成されたインクジェット記録物及びその製造方法に関し，詳しくは，発色性及び画像堅牢性に優れたインクジェット記録物及びその製造方法に関する。
【０００２】
【従来の技術及び発明が解決しようとする課題】インクジェット記録方式は，記録ヘッド（インクジェットヘッド）のノズルからインクの液滴を吐出させ，紙などの記録媒体に付着させて画像を形成する記録方式である。カラーインクジェット記録においてはイエロー，マゼンタ，シアンの減法混色の３原色インクを基本とし，必要に応じこれにブラックその他の色を加えた４色以上のインクを用いて，カラーインクジェット画像を形成する。
【０００３】カラーインクジェット画像の形成に使用するインクジェット記録用インクには，記録画像の発色性に優れ記録媒体上で鮮明な画像が得られること，画像堅牢性（耐光性，耐水性，耐ガス性，耐擦性など）に優れ長期保存による記録画像の劣化がないことなどが求められる。インクジェット記録用インクの着色剤には染料と顔料があり，一般に，染料は記録画像の発色性には優れるが耐光性，耐水性などに劣り，顔料は記録画像の耐光性，耐水性などには優れるが発色性に劣るため，染料と顔料のどちらを選択するかは，発色性と画像堅牢性のどちらを重視するかで決定される。また，染料，顔料にはそれぞれ多くの種類があり，その選択によっては満足のいく発色性又は画像堅牢性が得られない場合もあるため，適切な染料又は顔料を選択する必要がある。また，カラー画像の場合，複数色のうちの一色でも画像堅牢性に劣るものが存在すると，その影響でカラー画像全体の品位が著しく低下するため，着色剤の選択に際しては，単色での画像堅牢性のみならず，各色の画像堅牢性のバランスも考慮する必要がある。
・・・（中略）・・・
【０００６】従って，本発明の目的は，高い画像濃度で発色性に優れると共に，画像堅牢性にも優れ長期保存が可能なカラー画像が形成されたインクジェット記録物及びその製造方法を提供することにある。
・・・（中略）・・・
【０００８】
【課題を解決するための手段】本発明者らは，高レベルの画像堅牢性を達成し得る，複数の顔料インクを用いたカラーインクジェット記録について種々検討した結果，顔料インクを使用することにより懸念される発色性の悪さが，少なくともイエローの顔料として特定の顔料を選択し且つ画像を保護層で被覆することにより解消できることを知見すると共に，このようにすることにより，カラー画像を形成する各色の画像堅牢性のバランスもとれることを知見した。
【０００９】本発明は，上記知見に基づきなされたもので，記録媒体の少なくとも一面に，
１種又は２種以上の顔料インクにより画像が形成されたインクジェット記録物であって，１種又は２種以上の上記顔料インクが，少なくとも，着色剤としてＣ．Ｉ．ピグメントイエロー７４を含有するイエローインクを含んでおり，且つ上記インクジェット記録物が，上記画像を被覆する保護層を有するインクジェット記録物
　ｂ　「【００１１】
【発明の実施の形態】以下，本発明のインクジェット記録物について詳細に説明する。本発明のインクジェット記録物は，記録媒体の少なくとも一面に，少なくともイエローインクを含む１種又は２種以上の顔料インクにより画像が形成されている。
【００１２】上記イエローインクは，着色剤としてＣ．Ｉ．ピグメントイエロー７４を含有している。この着色剤は，記録画像の耐光性及び耐ガス性にやや難があるものの，発色性に優れており，高い画像濃度を得ることができる。
【００１３】フルカラー画像の形成には，上記イエローインクの他に，少なくともマゼンタインク及びシアンインクが必要になる。マゼンタインクの着色剤としては，Ｃ．Ｉ．ピグメントレッド１２２を用いることが，発色性及び耐光性の点で好ましい。また同様の理由で，シアンインクの着色剤としては，Ｃ．Ｉ．ピグメントブルー１５：３を用いることが好ましい。
・・・（中略）・・・
【００１５】また，上記
イエローインクには，
紫外線吸収剤，光安定化剤，消光剤及び酸化防止剤からなる群から選ばれる１種又は２種以上を含有させる
・・・（中略）・・・
【００１７】本発明に係る顔料インクは，上述した点以外は，この種のインクジェット記録用インクと同様に構成される。即ち，
着色剤（顔料）及び水の他に，均一分散，浸透調整，保湿，粘度調整等のため，分散剤，アルコール等の各種溶剤，界面活性剤等が添加
【００１８】そして，本発明のインクジェット記録物は，上記顔料インクにより形成された画像を被覆する保護層を有する。
【００１９】上記保護層は，樹脂からなる。樹脂としては，記録媒体との密着性に優れ，透明性が高く，熱や光で変色し難く，化学的・物理的バリヤ性に優れた塗膜を形成し得る樹脂が用いられ，このような特性を有する樹脂の中から，保護層の形成方法に応じて適宜選択され使用される。保護層の形成方法としては，樹脂溶液又は樹脂分散液（オーバーコート液）を，記録媒体の画像形成面（画像面）に塗布するリキッドオーバーコート法と，フィルムを画像面に貼り合わせるオーバーコート法がある。」
　ｃ　「【００５９】〔実施例１〕
（記録物の作製）セイコーエプソン製の２種類のインクジェット記録用紙〔ＭＣマット紙（型番:ＫＡ４５０ＭＭ），ＰＭ写真用紙（型番：ＫＡ４２０ＰＳＫ）〕それぞれのインク受容層上に，インクジェットプリンタ（ＭＣ２０００，セイコーエプソン製）を用いて，下記組成のイエロー，マゼンタ，シアン，ライトマゼンタ，ライトシアン及びブラックの６色の顔料インクにより，反射光学濃度（ＯＤ値）１．０と最大ＯＤ値のイエロー（Ｙ），マゼンタ（Ｍ），シアン（Ｃ），レッド（Ｒ），ブルー（Ｂ），グリーン（Ｇ）のカラーパッチを印刷して画像面を形成し，記録媒体の異なる２種類の記録物を得た。尚，上記のＭＣマット紙，ＰＭ写真用紙の各インク受容層のＪ．ＴＡＰＰＩ　Ｎｏ．４８−８５に従い測定される空隙率は，ＭＣマット紙４０％，ＰＭ写真用紙５０％である。
【００６０】尚，顔料インクの調製は，下記の要領で行った。サンドミル（安川製作所製）に顔料，分散剤及び水の混合物と，重量で該混合物の１．５倍量のガラスビーズ（直径１．７ｍｍ）とを入れ，２時間分散させてからガラスビーズを取り除き，顔料分散液を得た。次いで，顔料及び分散剤以外の成分を混合してインク溶媒を調製し，該顔料分散液を撹拌しながら該インク溶媒を徐々に滴下して，常温で２０分間撹拌した。その後，５μｍのメンブランフィルターで濾過して，顔料インクを得た。
【００６１】
〈
イエローインク１
・
Ｃ．Ｉ．ピグメントイエロー７４
・
スチレン−アクリル酸共重合体・アンモニウム塩（分散剤）
・
グリセリン
・
サーフィノール４６５
（界面活性剤，Air Product and Chemicals,Inc.製）
・
トリエチレングリコールモノブチルエーテル
・
イオン交換水
　　　　　　　　　　　　　　　　　　　　　　　　　　計１００重量％
【００６２】
〈
マゼンタインク
・
Ｃ．Ｉ．ピグメントレッド１２２
・
スチレン−アクリル酸共重合体・アンモニウム塩（分散剤）
・
グリセリン
（界面活性剤，Air Product and Chemicals,Inc.製）
・
サーフィノール４６５
・
トリエチレングリコールモノブチルエーテル
・
イオン交換水
　　　　　　　　　　　　　　　　　　　　　　　　　　計１００重量％
【００６３】
〈
シアンインク
・
Ｃ．Ｉ．ピグメントブルー１５：３
・
スチレン−アクリル酸共重合体・アンモニウム塩（分散剤）
・
グリセリン
・
サーフィノール４６
（界面活性剤，Air Product and Chemicals,Inc.製）
・
トリエチレングリコールモノブチルエーテル
・
イオン交換水
　　　　　　　　　　　　　　　　　　　　　　　　　　計１００重量％
・・・（中略）・・・
【００６６】
〈
ブラックインク
・
カーボンブラックＭＡ−７（三菱化学（株）製）
・
スチレン−アクリル酸共重合体・アンモニウム塩（分散剤）
・
グリセリン
・
サーフィノール４６５
（界面活性剤，Air Product and Chemicals,Inc.製）
・
トリエチレングリコールモノブチルエーテル
・
イオン交換水
　　　　　　　　　　　　　　　　　　　　　　　　　　計１００重量％
【００６７】（熱転写シート１の製造）支持体としてのＰＥＴフィルム（厚み３８μｍ）に，アクリルエマルジョン（商品名「ボンロンＳ１３２０」固形分濃度４０％，三井化学製）と界面活性剤（商品名「サーフィノールＴＧ」日信化学工業製）の混合物（界面活性剤の含有量０．０５重量％）を，乾燥後の膜厚が１０μｍとなるように塗布し，乾燥させて被転写層を形成し，熱転写シート１を製造した。
【００６８】そして，この熱転写シート１を用いて，２種類の上記記録物をオーバーコート処理した。オーバーコート処理は，被転写層と記録物の画像面とが接触するように，熱転写シート１と記録物とを重ね合わせ，一対のヒートロール間を通過させて，加熱温度７０℃，線圧１０N/cmで加熱加圧処理した後，上記支持体を剥離して透明な保護層を形成することにより行った。保護層の厚みは１０μｍであった。このようにして得られた，記録媒体の異なる２種類の保護層付き記録物を，実施例１のサンプルとした。」
（ウ）　引用文献５及び６から把握される周知の技術事項
　引用文献５及び６に記載された各実施例で用いている顔料インクは顔料を被記録媒体に固定するための結合剤を含有していない（引用文献５のスチレンーアクリル酸共重合体樹脂は分散剤として添加された樹脂である。）から，これら引用文献５及び６の記載から，次の技術事項が，本願優先日より前に周知であったと認められる。
「顔料インクを用いたインクジェット記録方式で被記録媒体に画像を形成した後，当該画像を被覆するオーバーコート層を形成する画像形成方法において，前記顔料インクとして，顔料を被記録媒体に固定するための結合剤を含有しないインクを用いること。」（以下，「第２周知事項」という。）
５　当審拒絶理由についての判断
（１）対比
　ア　引用発明の「フルカラー画像」，「インク組成物」，「被記録媒体」，「『静電界を利用するインクジェット記録方式』の『インクジェットヘッド』」，「分散媒」及び「被覆ポリマーにより被覆された顔料である荷電粒子」は，本願発明の「画像」，「インク組成物」，「基材」，「静電印刷ヘッド」，「分散媒流体」及び「帯電可能なマーキング粒子」にそれぞれ相当する。
　イ　引用発明は，イエロー，マゼンタ，シアン及びブラックの４色のインク組成物を，インクジェット記録装置によりインク滴として飛翔させて，被記録媒体にフルカラー画像を印刷しているところ，飛翔したインク滴が被記録媒体に着弾し，当該被記録媒体上に堆積することによって，フルカラー画像を形成していることが自明であるから，引用発明は，「フルカラー画像」（本願発明の「画像」に相当。以下，「（１）　対比」の欄において，「」で囲まれた引用発明の構成に付した（）中の記載は，当該引用発明の構成に相当する本願発明の発明特定事項を表す。）を形成するために，４色の「インク組成物」（インク組成物）を「被記録媒体」（基材）上に堆積させる工程を備えているといえる。
　また，引用発明は，「被記録媒体」（基材）として，「プラスチックフィルム，金属，プラスチックもしくは金属がラミネートもしくは蒸着された紙又は金属がラミネートもしくは蒸着されたプラスチックフィルム」を用いているところ，本願明細書の【０００６】に，「非吸収性」のものの典型例として，金属，プラスチック及びワニスの外部表面が例示されていることに照らせば，前記「プラスチックフィルム，金属，プラスチックもしくは金属がラミネートもしくは蒸着された紙又は金属がラミネートもしくは蒸着されたプラスチックフィルム」は，「非吸収性」といえる。
　さらに，引用発明は，フルカラー画像上にオーバーコート層を形成した後に，「加熱手段を用いてオーバーコート層を被膜化する」ことによって，「フルカラー画像の定着」を行っているところ，「フルカラー画像の定着」は「フルカラー画像」（画像）の「固定」といえるから，引用発明の「加熱手段を用いてオーバーコート層を被膜化する」工程は，「被記録媒体」（基材）に対して「フルカラー画像」（画像）を「固定」する工程といえる。
　したがって，引用発明は，「画像を形成するために，少なくとも２色のインク組成物を非吸収性の基材上に堆積させる工程，および，前記基材に対して前記画像を固定する工程を含」むという本願発明の発明特定事項に相当する構成を具備している。
　ウ　引用発明では，静電界を利用するインクジェット記録方式のインクジェットヘッドによって，インク組成物をインク滴として飛翔させ，被記録媒体にフルカラー画像を印刷するのだから，「インク組成物」（インク組成物）が「インクジェットヘッド」（静電印刷ヘッド）を用いて堆積されるといえる。
　また，引用発明の「制御電極と被記録媒体背面の背面電極間に電圧を印加することにより，インク流路内で荷電粒子を電気泳動させて吐出位置に濃縮し，吐出位置から被記録媒体へ飛翔させる」という「インクジェットヘッド」の動作は，本願発明の「分散媒流体中に分散させた帯電可能なマーキング粒子を，印加電界を用いて，最初に濃縮し，その後に噴出させ」るという「静電印刷ヘッド」の動作にほかならない。
　したがって，引用発明は，「インク組成物は，静電印刷ヘッドを用いて堆積され，前記静電印刷ヘッドは，分散媒流体中に分散させた帯電可能なマーキング粒子を，印加電界を用いて，最初に濃縮し，その後に噴出させ」るという本願発明の発明特定事項に相当する構成を具備している。
　エ　引用発明では，フルカラー画像が印刷された被記録媒体の表面の
全面にオーバーコート層を形成し，その後，
　しかるに，引用発明では，被記録媒体全面へのフルカラー画像の印刷が完了してから，オーバーコート層の形成を行うのか，それとも，フルカラー画像を印刷しながら，印刷された部分に対して順次オーバーコート層を形成するのかについては，特定されていないものの，オーバーコート層は少なくとも印刷されたフルカラー画像上に形成されるのであるから，前記のいずれの場合であっても，被記録媒体全面へのオーバーコート層の形成が完了した時点で，被記録媒体全面へのフルカラー画像の印刷が完了していることになる。
　したがって，引用発明では，「加熱手段を用いてオーバーコート層を被膜化する」（基材に対して画像を固定する）前に，すべての「インク組成物」（インク組成物）が「被記録媒体」（基材）上に堆積している。
　よって，引用発明は，「画像の固定を行う前に，すべてのインク組成物を基材上に堆積させ」るという本願発明の発明特定事項に相当する構成を具備している。
　オ　引用発明の「被覆ポリマーにより被覆された顔料である荷電粒子」（マーキング粒子）が分散媒に対して不溶性であることは自明である。
　また，分散系において分散剤が分散媒に溶解していることは技術常識であって（例えば，引用文献５の【００３２】には，スチレン−アクリル酸共重合体樹脂（分散剤）を分散媒に溶解することが記載されている。），引用発明のインク組成物において，「分散剤」が「分散媒」に溶解していることは明らかであるから，引用発明の「分散剤」は「可溶性分散剤」といえる。（仮に，可溶性でない「分散剤」が存在するのだとしても，引用発明の「分散剤」として可溶性のものを用いることは，当業者にとって容易想到であるから，結論に変わりはない。）
　しかるに，引用発明の「インク組成物」は，「分散媒」（分散媒液体）と，「被覆ポリマーにより被覆された顔料である荷電粒子」（不溶性の帯電可能なマーキング粒子）と，「分散剤」（可溶性分散剤）とを含有するから，本願発明の「インク組成物」と，「分散媒液体と，不溶性の帯電可能なマーキング粒子と，可溶性分散剤と，を含」む点で共通する。
　カ　引用発明は，「被記録媒体」（基材）上に「フルカラー画像」（画像）を「印刷」（形成）する「インクジェット記録方法」（方法）であるから，「基材上に画像を形成する方法」であるという本願発明の発明特定事項に相当する構成を具備している。
　キ　前記アないしカに照らせば，本願発明と引用発明は，
「画像を形成するために，少なくとも２色のインク組成物を非吸収性の基材上に堆積させる工程，および，
　前記基材に対して前記画像を固定する工程
を含み，
　前記インク組成物は，静電印刷ヘッドを用いて堆積され，
　前記静電印刷ヘッドは，分散媒流体中に分散させた帯電可能なマーキング粒子を，印加電界を用いて，最初に濃縮し，その後に噴出させ，
　前記インク組成物は，分散媒液体と，不溶性の帯電可能なマーキング粒子と，可溶性分散剤と，を含み，
　前記画像の固定を行う前に，すべてのインク組成物を前記基材上に堆積させる，
基材上に画像を形成する方法。」
である点で一致し，次の点で一応相違する。
相違点１：
　本願発明の「インク組成物」における「分散媒液体」，「マーキング粒子」及び「可溶性分散剤」の含有量が，それぞれ「４５重量％以上」，「６〜４０重量％」及び「０．４〜１０重量％」であるのに対して，
　引用発明の「インク組成物」における「分散媒」，「被覆ポリマーにより被覆された顔料である荷電粒子」及び「分散剤」の含有量は，それぞれ「２０〜９９質量％」，「０．２（＝０．１＋０．１）〜９０（＝５０＋４０）質量％」及び「０．０１〜３０質量％」である点。
相違点２：
　本願発明のインク組成物が，バインダーを含んでいないのに対して，
　引用発明では，インク組成物中の荷電粒子は，被覆ポリマーにより被覆された顔料からなるものであって，当該被覆ポリマーが，加熱手段により定着する際に熱により溶融して効率よく定着するという機能，すなわち顔料を被記録媒体に固定する機能を有していることから，インク組成物が結合剤を含有していないとはいえない点。
（２）相違点の判断
　ア　相違点１について
　引用文献１の【００８１】には，「実施例１」の「インク組成物［ＥＣ−１］」として，「分散媒」としてアイソパーＧを３９１（＝７５＋３１６）ｇ，「被覆ポリマーにより被覆された顔料である荷電粒子」として被覆ポリマー「ＡＰ−１」で被覆されたシアン顔料を３０（＝１０＋２０）ｇ，「分散剤」として［ＢＺ−２］を７．５ｇ，荷電調整剤［ＣＴ−１］を０．６ｇ含有するものが記載されているところ，当該「インク組成物［ＥＣ−１］」における「分散媒」，「被覆ポリマーにより被覆された顔料である荷電粒子」及び「分散剤」の含有量は，それぞれ，約９１重量％，約７重量％及び約１．７重量％であって，本願発明の各数値範囲内の値となっているから，相違点１に係る本願発明の発明特定事項は，引用文献１に記載されたも同然の事項といえる。
　また，そもそも，引用発明において，「分散媒」，「被覆ポリマーにより被覆された顔料である荷電粒子」及び「分散剤」の含有量を，「２０〜９９質量％」，「０．２〜９０質量％」及び「０．０１〜３０質量％」というそれぞれの数値範囲の中で，如何なる値に設定するのかは，当業者が適宜決定すれば足りる設計上の事項というべきであるところ，当該引用発明の各数値範囲は，本願発明の各数値範囲と，それぞれ「４５〜９９重量％」，「６〜４０重量％」及び「０．４〜１０重量％」という範囲で重複しているのであって，引用発明の「分散媒」，「被覆ポリマーにより被覆された顔料である荷電粒子」及び「分散剤」の含有量を当該重複範囲内の値に設定することは，当業者が適宜なし得たことともいえる。
　したがって，引用発明を，相違点１に係る本願発明の発明特定事項に相当する構成を具備したものとすることは，少なくとも，当業者が容易になし得たことである。
　イ　相違点２について
（ア）　引用発明は，「静電界を利用するインクジェット記録方式」のインクジェット記録装置によりフルカラー画像を印刷するものであって，インク組成物中の荷電粒子として，被覆ポリマーで被覆された顔料を用いているところ，当該被覆ポリマーは，顔料が持つ荷電を遮蔽して望ましい荷電特性を付与するとともに，加熱手段により定着する際に熱により溶融して効率よく定着するために用いられているものである。
（イ）　しかるに，前記４（２）ア（エ）で「第１周知事項」として認定したとおり，「絶縁性の溶媒中に着色荷電粒子を分散させたインクを用い，静電吸引力によりインク滴の吐出を行うインクジェット記録方式において，前記着色荷電粒子として，樹脂で被覆されていない顔料を用いること。」が本願優先日より前に周知であったと認められるところ，引用発明の「静電界を利用したインクジェット記録方式」とは，当該第１周知事項における「絶縁性の溶媒中に着色荷電粒子を分散させたインクを用い，静電吸引力によりインク滴の吐出を行うインクジェット記録方式」にほかならないのであって，当該第１周知事項を熟知する当業者は，引用発明において，適切な荷電量が得られる顔料を選択すれば，少なくとも，「顔料が持つ荷電を遮蔽して望ましい荷電特性を付与する」という観点からは，顔料を被覆ポリマーで被覆する必要がないことを容易に理解できると認められる。
（ウ）　また，前記４（２）イ（ウ）で「第２周知事項」として認定したとおり，「顔料インクを用いたインクジェット記録方式で被記録媒体に画像を形成した後，当該画像を被覆するオーバーコート層を形成する画像形成方法において，前記顔料インクとして，顔料を被記録媒体に固定するための結合剤を含有しないインクを用いること。」が本願優先日より前に周知であったと認められるところ，引用発明は，第２周知事項と同様に，「顔料インクを用いたインクジェット記録方式で被記録媒体に画像を形成した後，当該画像を被覆するオーバーコート層を形成する」ものであって，画像の被記録媒体への固定がオーバーコート層によって行われることから，当該第２周知事項を熟知する当業者は，引用発明において，「加熱手段により定着する際に熱により溶融して効率よく定着する」という観点からも，顔料を被覆ポリマーで被覆する必要はなく，かつ，インク組成物中に別途「加熱手段により定着する際に熱により溶融して効率よく定着する」ための結合剤を含有させる必要もないことを容易に理解できると認められる。
（エ）　前記（イ）及び（ウ）によれば，当業者は，引用発明において，被覆ポリマーは必ずしも必須の構成というわけではなく，顔料として適切な荷電量が得られるものを選択すれば，被覆ポリマーにより被覆することなく，当該顔料自体を荷電粒子として用いることができることを容易に理解できるところ，インク組成物の製造コストを削減すること等を目的として，被覆ポリマーを省略すること，すなわち，荷電粒子として，被覆ポリマーで被覆されていない顔料を用いることは，第１周知事項及び第２周知事項を熟知する当業者が，容易に想到し得たことである。
　そして，当該構成の変更を行った引用発明は，インク組成物が「バインダーを含んで」いないという相違点２に係る本願発明の発明特定事項に相当する構成を具備することとなる。
（オ）　以上のとおりであるから，引用発明を，相違点２に係る本願発明の発明特定事項に相当する構成を具備したものとすることは，第１周知事項及び第２周知事項に基づいて，当業者が容易になし得たことである。
　ウ　効果について
　本願発明の効果は，引用文献１の記載，第１周知事項及び第２周知事項に基づいて，当業者が予測できた程度のものである。
　エ　相違点の容易想到性のまとめ
　以上のとおりであるから，本願発明は，引用発明，第１周知事項及び第２周知事項に基づいて，当業者が容易に発明をすることができたものである。
（３）「画像の固定を行う前に，すべてのインク組成物を基材上に堆積させ」る点に関する予備的判断
　ア　　前記（１）エで述べたように，引用発明は，被記録媒体全面へのオーバーコート層の形成が完了してから，当該オーバーコート層の被膜化を行うものと解するのが相当と認められるが，仮に，引用文献１の【００６７】の「オーバーコート層は，・・・（中略）・・・インクで描画された画像を有する印刷物表面に静電インクジェット方式でその全面に吐出することにより形成することができる。その後インク画像の定着と同様に加熱手段により被膜化し」という記載が，被記録媒体全面へのオーバーコート層の形成が完了してから，当該オーバーコート層の被膜化を行うことまでは意味しておらず，オーバーコート層を形成しながら，形成された部分について順次被膜化するような態様をも包含していると解することが可能であり，したがって，当該点が本願発明と引用発明の相違点として認定できるとした場合の容易想到性についても，念のため以下で述べておく。
　イ　引用発明において，「加熱手段によるオーバーコート層の被膜化」（画像の固定）は，フルカラー画像の定着と光沢性，耐ブロッキング性及び耐摩擦性を付与するために行われるものであるところ，これらの効果は，フルカラー画像上にオーバーコート層が形成されていること，及び当該オーバーコート層が被膜化されていることによって得られるものであって，被記録媒体全面へのオーバーコート層の形成の完了後に行われるのか，それとも，オーバーコート層を形成しながら，形成された部分に対して順次行われるのかといったオーバーコート層の被膜化のタイミングに依存して，得られたり得られなくなったりするものでないことは当業者に自明である。
　そうすると，引用発明を具体化するに際して，「加熱手段によるオーバーコート層の被膜化」（画像の固定）を，オーバーコート層の形成が完了してから（したがって，インク組成物の被記録媒体全面への堆積が完了してから）行う態様と，オーバーコート層を形成しながら，形成された部分について順次行う態様のいずれを選択するのかは，当業者が適宜決定すれば足りる設計上の事項というべきであるから，引用発明を，前記アで述べた相違点に係る本願発明の発明特定事項に相当する構成を具備したものとすることは，当業者が適宜なし得たことである。
　したがって，前記アで述べたように解したとしても，本願発明が，引用発明，第１周知事項及び第２周知事項に基づいて，当業者が容易に発明をすることができたものであるとの結論に変わりはない。
６　むすび
　本願の請求項１に係る発明は，引用発明，第１周知事項及び第２周知事項に基づいて，当業者が容易に発明をすることができたものであるから，他の請求項に係る発明について検討するまでもなく，本願は，特許法２９条２項の規定により特許を受けることができない。
　よって，結論のとおり審決する。